(57)【要約】【課題】  監視システムの適応範囲を拡大し、多様なネットワーク環境下で設備機器の動作状態を的確に監視する。【解決手段】  設備機器を監視する複数の監視サーバにＩＰネットワークを介して監視端末３を接続する。監視サーバは、設備機器の動作情報に自身のＩＰアドレスと自身を他の監視サーバから区別するＩＤ情報とを付加したパケットを監視端末３に定期的に送信する。監視端末３は、受信パケットから送信元監視サーバのＩＰアドレスとＩＤ情報とを取得し、双方を関連付けてサーバ情報登録部２０に登録する。これにより、ＩＰアドレスが動的に変化するネットワーク環境下でも、監視端末３は変化しないＩＤ情報に基づいて送信元監視サーバのＩＰアドレスをパケット受信の都度に更新できる。【選択図】        図３
2008035011.tif 000002
【特許請求の範囲】
【請求項１】
設備機器を監視する複数の監視サーバにＩＰネットワークを介して監視端末を接続し、設備機器の動作情報を監視サーバから監視端末に提供するシステムにおいて、
それぞれの監視サーバが、設備機器の動作情報と自身のＩＰアドレスと自身を他の監視サーバから区別するＩＤ情報とを含むパケットを送信する手段を備え、
監視端末が、監視サーバから受信したパケット中のＩＰアドレスとＩＤ情報とを関連付けて登録する手段を備えたことを特徴とする監視システム。
【発明の詳細な説明】
【技術分野】
【０００１】
本発明は、ＩＰネットワークを利用して各種設備機器の動作状態を監視するシステムに関する。
【背景技術】
【０００２】
従来、図５に示すように、設備機器を監視する複数の監視サーバ５１にＩＰネットワーク５２を介して監視端末６１を接続し、設備機器の動作情報を監視サーバ５１から複数の監視端末６１に提供する監視システム５０が知られている。例えば、特許文献１には、温度、湿度、電力、扉の開閉状態等の監視や、電気錠や換気装置等の電気機器の制御を遠隔地で行うネットワーク環境監視システムが記載されている。
【特許文献１】特開２００５−９２４０５号公報
【０００３】
従来の監視サーバ５１は、図６に示すように、センサを用いて設備機器の動作情報を取得する監視処理実行部５３と、この動作情報を監視端末６１に送信するパケット送信部５４と、自身のＩＰアドレスを保持する自己アドレス保持部５５と、複数の監視端末６１のＩＰアドレスを登録する端末アドレス登録部５６とを備えている。そして、監視サーバ５１は、設備機器の動作情報に自身のＩＰアドレスを付加したＵＤＰパケットをパケット送信部５４から監視端末６１に定期的に送信するようになっている。
【０００４】
監視端末６１は、図７に示すように、ＵＤＰパケットを受信するパケット受信部６２と、設備機器の動作情報を表示する表示部６３と、複数の監視サーバ５１のＩＰアドレスを登録するサーバアドレス登録部６４とを備えている。そして、監視端末６１は、図８に示すように、監視サーバ５１からＵＤＰパケットを受信すると（Ｓ７１）、このパケットから送信元監視サーバ５１のＩＰアドレスを取得し（Ｓ７２）、このＩＰアドレスが登録済みであるか否かを確認し（Ｓ７３）、登録済である場合に限り、設備機器の動作情報を表示部６３に表示するように構成されている（Ｓ７４）。
【発明の開示】
【発明が解決しようとする課題】
【０００５】
ところが、従来の監視システム５０によると、監視サーバ５１のＩＰアドレスが予め決められていて、このアドレスをユーザが監視端末６１ごとに登録しているため、ＤＤＮＳサービスを提供するプロバイダが監視サーバ５１のＩＰアドレスを動的に決めるようなネットワーク環境下では、監視端末６１が監視サーバ５１にアクセスできなくなる不都合があった。また、複数の監視サーバ５１がルータを用いて同じグローバルＩＰアドレスを共有している場合には、監視端末６１が監視サーバ５１を個別に認識できず、必要な情報を取得できなくなるという問題点もあった。
【０００６】
本発明の目的は、これらの問題点を解決し、より広範囲のネットワーク環境に適応できる監視システムを提供することにある。
【課題を解決するための手段】
【０００７】
上記課題を解決するために、本発明の監視システムは、設備機器を監視する複数の監視サーバにＩＰネットワークを介して監視端末を接続し、設備機器の動作情報を監視サーバから監視端末に提供するシステムにおいて、それぞれの監視サーバが設備機器の動作情報と自身のＩＰアドレスと自身を他の監視サーバから区別するＩＤ情報とを含むパケットを送信する手段を備え、監視端末が監視サーバから受信したパケット中のＩＰアドレスとＩＤ情報とを関連付けて登録する手段を備えたことを特徴とする。
【発明の効果】
【０００８】
本発明の監視システムによれば、監視サーバがＩＰアドレスと共にＩＤ情報を監視端末に通知するので、ＩＰアドレスが動的に変化する場合でも、監視端末は変化しないＩＤ情報に基づいて送信元の監視サーバを識別し、該サーバのＩＰアドレスを受信の都度に更新することができる。また、複数の監視サーバが同じグローバルＩＰアドレスを共有している場合でも、監視端末はそれぞれ異なるＩＤ情報に基づいて複数の監視サーバを個別に認識することができる。したがって、監視システムの適応範囲を拡大して、多様なネットワーク環境下で設備機器の動作状態を的確に監視できるという効果がある。
【発明を実施するための最良の形態】
【０００９】
以下、本発明を実施するための最良の形態を図面に基づいて説明する。図１に示すように、この実施形態の監視システム１は、複数台の監視サーバ２と複数台の監視端末３とを備えている。監視サーバ２と監視端末３は、インターネットやイントラネット等のＩＰネットワーク４を介して双方向通信可能に接続されている。監視サーバ２は、例えば、自家発電設備の温度や発電力、電気機器の電圧や接点、通信機器収納ラックの湿度や施錠状態等を監視し、これらの設備機器の動作情報を監視端末３に提供する。そして、パソコンや携帯電話等の監視端末３が各設備機器の動作状態を遠隔地で監視または制御できるようになっている。
【００１０】
図２に示すように、監視サーバ２には、センサを用いて設備機器の動作情報を取得する監視処理実行部１１と、この動作情報を監視端末３に送信するパケット送信部１２と、監視端末３のＩＰアドレスを登録する端末アドレス登録部１３と、自身のＩＰアドレスを保持する自己アドレス保持部１４と、自身を他の監視サーバ２から区別するためのＩＤ情報を保持するＩＤ情報保持部１５と、監視サーバ２の全体を制御するＣＰＵ１６とが設けられている。そして、監視サーバ２は、設備機器の動作情報に自身のＩＰアドレスとＩＤ情報とを付加したＵＤＰパケット（ＴＣＰパケットでもよい）をパケット送信部１２から監視端末３に定期的に送信するようになっている。
【００１１】
図３に示すように、監視端末３には、監視サーバ２からＵＤＰパケットを受信するパケット受信部１８と、設備機器の動作情報を表示する表示部１９と、複数の監視サーバ２のＩＤ情報とＩＰアドレスとを関連付けて登録するサーバ情報登録部２０と、監視端末３の全体を制御するＣＰＵ２１とが設けられている。そして、ＣＰＵ２１は図４に示すような監視プログラムを実行し、監視サーバ２から受信したＵＤＰパケット中のＩＤ情報に基づいて、監視サーバ２のＩＰアドレスを更新するようになっている。
【００１２】
次に、上記のように構成された監視システム１の動作について説明する。設備機器の監視にあたり、監視サーバ２はセンサを用いて設備各部の動作情報を取得し、取得した情報に自身のＩＰアドレスとＩＤ情報とを付加してＵＤＰパケットを作成し、ＩＰネットワーク４を介してそのパケットを定期的に監視端末３に送信する。そして、監視端末３が監視サーバ２からＵＤＰパケットを受信すると（図４：Ｓ３１）、受信したパケットから送信元監視サーバ２のＩＤ情報を取得し（Ｓ３２）、このＩＤ情報がサーバ情報登録部２０に予め登録されている情報と一致するか否かを確認する（Ｓ３３）。
【００１３】
受信したＩＤ情報が登録済である場合には、続いて、監視端末３はＵＤＰパケットから送信元監視サーバ２のＩＰアドレスを取得し（Ｓ３４）、取得したＩＰアドレスを該当する監視サーバ２のＩＤ情報に関連付けてサーバ情報登録部２０に登録する（Ｓ３５）。このとき、監視サーバ２のＩＰアドレスがプロバイダによって変更されている場合には、前回登録されたＩＰアドレスが今回受信したＩＰアドレスに更新される。その後、監視端末３は受信したＵＤＰパケットから設備機器の動作情報を取り出し、この情報を表示部１９の画面に表示してユーザーに提供する（Ｓ３６）。
【００１４】
したがって、この実施形態の監視システム１によれば、監視サーバ２がＩＰアドレスと共にＩＤ情報を監視端末３に定期的に通知するので、プロバイダがＩＰアドレスを動的に変化させるようなネットワーク環境下であっても、監視端末３は変化しないＩＤ情報に基づいて送信元監視サーバ２を正しく識別でき、このサーバ２のＩＰアドレスをパケット受信の都度に更新することができる。また、複数の監視サーバ２がルータで統合されているようなネットワーク環境下でも、監視端末３はそれぞれ異なるＩＤ情報に基づいて複数の監視サーバ２を個別に認識でき、目的の監視サーバ２にアクセスし、所要の情報を容易に取得することができる。
【図面の簡単な説明】
【００１５】
【図１】本発明の一実施形態を示す監視システムの全体構成図である。
【図２】該システムの監視サーバを示すブロック図である。
【図３】該システムの監視端末を示すブロック図である。
【図４】該監視端末の動作を示すフローチャートである。
【図５】従来の監視システムの全体構成図である。
【図６】従来の監視サーバを示すブロック図である。
【図７】従来の監視端末を示すブロック図である。
【図８】従来の監視端末の動作を示すフローチャートである。
【符号の説明】
【００１６】
１：  監視システム
２：  監視サーバ
３：  監視端末
４：  ＩＰネットワーク
１１：  監視処理実行部
１２：  パケット送信部
１４：  自己アドレス保持部
１５：  ＩＤ情報保持部
１８：  パケット受信部
２０：  サーバ情報登録部
２１：  ＣＰＵ
【図１】
2008035011.tif 000003
【図２】
2008035011.tif 000004
【図３】
2008035011.tif 000005
【図４】
2008035011.tif 000006
【図５】
2008035011.tif 000007
【図６】
2008035011.tif 000008
【図７】
2008035011.tif 000009
【図８】
2008035011.tif 000010